(57)【要約】【課題】優れた威嚇及び撃退効果を有しており、その効果が低下せずに長期に渡って維持されると共に、構造が簡易であり、非常に安価に提供することができる鳥獣追い払い装置を提供する。【解決手段】鳥獣追い払い装置は、表面に光反射層が設けられたシートと、このシートを揺動自在に吊り下げるための紐状体とを備えている。鳥獣追い払い装置は、特に、このシートの光反射層上に設けられた少なくとも１つのマークと、少なくとも１つのマークの表面の少なくとも一部の上に積層された赤外線蛍光体層又は青色蛍光体層と、シートの表面に取り付けられ、赤外線蛍光体層又は青色蛍光体層に光を照射可能な少なくとも１つの発光素子と、少なくとも１つの発光素子を駆動するための駆動回路と、紐状体に連結され、シートの揺動によって発電する圧電体発電手段とを備えており、駆動回路は圧電体発電手段が発電した電力によって駆動されるように構成されている。【選択図】図１
2014030412.tif 000002
【特許請求の範囲】
【請求項１】
表面に光反射層が設けられたシートと、該シートを揺動自在に吊り下げるための紐状体とを備えている鳥獣追い払い装置において、
前記シートの前記光反射層上に設けられた少なくとも１つのマークと、該少なくとも１つのマークの表面の少なくとも一部の上に積層された赤外線蛍光体層又は青色蛍光体層と、前記シートの表面に取り付けられ、前記赤外線蛍光体層又は青色蛍光体層に光を照射可能な少なくとも１つの発光素子と、前記少なくとも１つの発光素子を駆動するための駆動回路と、前記紐状体に連結され、前記シートの揺動によって発電する圧電体発電手段とを備えており、前記駆動回路は前記圧電体発電手段が発電した電力によって駆動されるように構成されていることを特徴とする鳥獣追い払い装置。
【請求項２】
前記圧電体発電手段は、少なくとも１つのセラミック圧電素子と、前記シートの揺動によって該少なくとも１つのセラミック圧電素子に衝撃を与える錘体とを備えていることを特徴とする請求項１に記載の鳥獣追い払い装置。
【請求項３】
前記圧電体発電手段は内部に通路を有する筐体をさらに備えており、前記錘体は前記筐体の前記通路内を移動自在な錘体からなり、前記少なくとも１つのセラミック圧電素子は前記通路の両端にそれぞれ設けられた１対のセラミック圧電素子からなることを特徴とする請求項２に記載の鳥獣追い払い装置。
【請求項４】
前記圧電体発電手段は環状の衝突壁体と、該衝突壁体内を揺動自在な揺動体とを備えており、前記錘体は該揺動体の本体からなり、前記少なくとも１つのセラミック圧電素子は前記揺動体の前記本体の両端にそれぞれ設けられた１対のセラミック圧電素子からなることを特徴とする請求項２に記載の鳥獣追い払い装置。
【請求項５】
前記圧電体発電手段は、前記シートの揺動によって発電する可撓性を有するストリップ状の圧電フィルムを備えていることを特徴とする請求項１に記載の鳥獣追い払い装置。
【請求項６】
前記圧電体発電手段は、内部に空間を有する筒状の筐体と、該筐体の前記空間内を移動自在な錘体と、前記筐体の内壁に固着されており、前記錘体の衝突によって発電する可撓性を有する圧電フィルムとを備えていることを特徴とする請求項１に記載の鳥獣追い払い装置。
【請求項７】
前記圧電フィルムは、ポリフッ化ビニリデンによるピエゾフィルムと、該ピエゾフィルムの両面に積層された電極層とを備えている可撓性圧電フィルムであることを特徴とする請求項５又は６に記載の鳥獣追い払い装置。
【請求項８】
前記シート、前記赤外線蛍光体層又は青色蛍光体層を含む前記少なくとも１つのマーク、前記少なくとも１つの発光素子、及び前記駆動回路を密封的に被う透明の防水被覆層をさらに備えていることを特徴とする請求項１から７のいずれか１項に記載の鳥獣追い払い装置。
【請求項９】
前記少なくとも１つの発光素子は、少なくとも１つのＬＥＤ素子であることを特徴とする請求項１から７のいずれか１項に記載の鳥獣追い払い装置。
【請求項１０】
前記駆動回路は前記圧電体発電手段の出力端子間に並列接続されたダイオード素子を備えており、前記少なくとも１つのＬＥＤ素子は該ダイオード素子に並列かつ逆向きに接続されていることを特徴とする請求項９に記載の鳥獣追い払い装置。
【請求項１１】
前記駆動回路は前記圧電体発電手段の出力端子間にダイオード素子を介して並列接続されたキャパシタを備えており、前記少なくとも１つのＬＥＤ素子は該キャパシタと並列に接続されていることを特徴とする請求項９に記載の鳥獣追い払い装置。
【請求項１２】
前記駆動回路は、前記圧電体発電手段の出力端子間に入力端子が接続された全波整流回路と、該全波整流回路の出力端子間に接続された充放電回路とを備えており、前記少なくとも１つのＬＥＤ素子は該充放電回路と並列に接続されていることを特徴とする請求項９に記載の鳥獣追い払い装置。
【請求項１３】
前記少なくとも１つのＬＥＤ素子は、赤外線波長領域又は青色波長領域を含む光を放射するＬＥＤ素子であることを特徴とする請求項９から１２のいずれか１項に記載の鳥獣追い払い装置。
【請求項１４】
前記光反射層は前記シートの全面に形成されており、該光反射層上に複数のマークが固着若しくは形成されていることを特徴とする請求項１から１３のいずれか１項に記載の鳥獣追い払い装置。
【請求項１５】
前記光反射層は、鏡面反射層又はホログラム反射層であることを特徴とする請求項１から１４のいずれか１項に記載の鳥獣追い払い装置。
【請求項１６】
前記赤外線蛍光体層又は青色蛍光体層は、前記少なくとも１つのマークの各々の全面に積層されていることを特徴とする請求項１から１５のいずれか１項に記載の鳥獣追い払い装置。
【請求項１７】
前記赤外線蛍光体層又は青色蛍光体層は、前記少なくとも１つのマークの各々の上に所定の模様で積層されていることを特徴とする請求項１から１５のいずれか１項に記載の鳥獣追い払い装置。
【請求項１８】
前記少なくとも１つのマークの各々は、円形状、長円形状又は楕円形状を有していることを特徴とする請求項１から１７のいずれか１項に記載の鳥獣追い払い装置。
【発明の詳細な説明】
【技術分野】
【０００１】
本発明は、鳥獣害を防止すべく鳥獣を効果的に威嚇して追い払うための鳥獣追い払い装置に関する。
【背景技術】
【０００２】
鳥獣害としては、例えば、鳥類による農作物、果樹、樹木、水産物及び生ゴミ等への被害、並びにイノシシ、猿、鹿及び熊等の獣類による農作物、果樹及び樹木等への被害が知られている。鳥獣害としては、これ以外にも、人間を含む動物への被害、住環境を汚染する被害や、破損する被害等、多岐に渡る被害がある。
【０００３】
従来から、このような鳥獣害を防止するための方法が種々提案されている。例えば、
（１）被害対象物を網や電気柵で囲い込み、鳥獣が近付かないようにする方法、
（２）檻や罠を用いて鳥獣を捕獲する方法、
（３）積極的に光や音を出すことにより鳥獣を威嚇して追い払う方法、
（４）死骸や威嚇物等を吊すことにより鳥獣に恐怖心を与えて追い払う方法、
等が提案され、実際に実施されている。
【０００４】
上述の方法のうち、（４）の死骸や威嚇物等を吊すことにより鳥獣に恐怖心を与えて追い払う技術として、特許文献１には、合成樹脂製の円板である揺動基体に複数の開口部を形成し、各開口部に円板からなる反転型反射片を丸環で上下位置で回動自在に連結し、円板の中央に多色表示部を設け、揺動基体の下端側に揺動吊下体が揺動かつ回転自在に吊り下げてあり、揺動吊下体は３個の揺動反射片を丸環により連結したものからなり、上側揺動反射片に対して下側揺動反射片を大きく形成した鳥脅し具が開示されている。
【０００５】
また、同じく（４）の技術として、特許文献２には、薄板を鳥が警戒又は忌避するような動物の形状に形成し、かつその動物の模様に塗装すると共にその眼部分にガラス球を嵌込み、さらに薄板上部に吊下用孔を設け、この吊下用孔に紐、線等を通し、支持体から吊り下げるように構成し、動物の模様を蛍光塗料で塗装を行った鳥防除具が開示されている。
【０００６】
さらに、同じく（４）の技術として、特許文献３には、遠赤外線効果及び電磁波吸収効果のある酸化鉄を混入して成形された樹脂材料と、遠赤外線効果及び遠赤波動を発生して臭気除去効果のあるセラミック材料との相乗効果により、波長４〜１４μｍの生物の成育に有効な遠赤外線と、波長０．８〜１００μｍの範囲にある赤外線（遠赤波動）とを放射すると共に猛毒カラーに塗られた動物忌避装置が開示されている。
【先行技術文献】
【特許文献】
【０００７】
【特許文献１】実用新案登録第３０２４６３６号公報
【特許文献２】実開平７−１４８８１号公報
【特許文献３】特開２００２−２７２３５３号公報
【発明の概要】
【発明が解決しようとする課題】
【０００８】
これら特許文献１に記載の鳥脅し具及び特許文献２に記載の鳥防除具に対して、鳥獣は、ある程度反応して警戒はするものの、威嚇されて退避するまでには、至っていなかった。また、その刺激を何度も繰り返して体験しているうちに、鳥獣類は学習により慣れてしまい、ほとんど反応しなくなるという問題があった。一方、特許文献３の動物忌避装置は、赤外線放射と猛毒カラーとの両方で動物の忌避効果を得るものであり、赤外線放射のみでは昆虫を除いて忌避効果のないことが記載されている。
【０００９】
従って、本発明の目的は、鳥獣に対して優れた威嚇及び撃退効果を有しており、その効果が低下せずに長期に渡って維持される新規な鳥獣追い払い装置を提供することにある。
【００１０】
本発明の他の目的は、構造が簡易であり、非常に安価に提供することができる新規な鳥獣追い払い装置を提供することにある。
【課題を解決するための手段】
【００１１】
鳥獣追い払い装置は、表面に光反射層が設けられたシートと、このシートを揺動自在に吊り下げるための紐状体とを備えている。本発明によれば、鳥獣追い払い装置は、特に、このシートの光反射層上に設けられた少なくとも１つのマークと、少なくとも１つのマークの表面の少なくとも一部の上に積層された赤外線蛍光体層又は青色蛍光体層と、シートの表面に取り付けられ、赤外線蛍光体層又は青色蛍光体層に光を照射可能な少なくとも１つの発光素子と、少なくとも１つの発光素子を駆動するための駆動回路と、紐状体に連結され、シートの揺動によって発電する圧電体発電手段とを備えており、駆動回路は圧電体発電手段が発電した電力によって駆動されるように構成されている。
【００１２】
表面の一部又は全部が光反射層となっているシートは、風等で揺れ動くように紐状体によって揺動自在に吊り下げられる。本発明では、その光反射層上に、少なくとも一部に赤外線蛍光体層又は青色蛍光体層が積層された単数又は複数のマークが形成されているため、周囲環境が暗い状態において、揺動するシート上のマークにおける赤外線蛍光体層又は青色蛍光体層が少なくとも１つの発光素子により照射された光又は何らかの光（例えば月光、星光若しくはその他の光）を波長変換して赤外線波長領域に近い可視光若しくは赤外線又は青色波長領域に近い可視光を放射することができる。特に、少なくとも１つの発光素子により、赤外線蛍光体層又は青色蛍光体層に光を照射しているので、赤外線蛍光体層又は青色蛍光体層は、より多くの赤外線波長領域に近い可視光若しくは赤外線又は青色波長領域に近い可視光を放射することができる。また、少なくとも１つの発光素子を駆動するための駆動回路が圧電素子によって発電して得た電力によって駆動されるので、外部電源や電池が不要であり、しかも圧電体発電手段が作動する限り半永久的に動作可能である。
【００１３】
鳥獣、特に野生の鹿等は赤外線波長領域に近い可視光又は赤外線に対して非常に敏感であることが、本願発明者によって確認されており、また、特に野生の猪等は青色波長領域（青色、青緑色、青紫色及び／又は紫色の波長領域）に近い可視光に対して非常に敏感であると共に赤色及び橙色（オレンジ色）を嫌うことが知られており、このような波長領域において、マーク又はその一部及び発光素子が発光することにより、鳥獣は恐怖感を覚えて撃退される。一度撃退されると、その鳥獣は二度と現れなくなり、その撃退効果は長期に渡って低下せずに維持されることも確認されている。また、大きな音を発生するものではないため、夜間に周囲環境に迷惑を与えることもない。このように、本発明の鳥獣追い払い装置は、優れた威嚇及び撃退効果を有しており、しかも、その効果が低下せずに長期に渡って維持することができる。特に、本発明の鳥獣追い払い装置は、簡単な構造であるため、非常に安価に提供することができる。
【００１４】
圧電体発電手段は、少なくとも１つのセラミック圧電素子と、シートの揺動によって少なくとも１つのセラミック圧電素子に衝撃を与える錘体とを備えていることが好ましい。セラミック圧電素子は比較的高い電圧及び比較的大きな電気量を発生可能であるため、鳥獣が感知するに充分な光量を発光素子から放射させることができる。
【００１５】
この場合、圧電体発電手段は内部に通路を有する筐体をさらに備えており、錘体は筐体の通路内を移動自在な錘体からなり、少なくとも１つのセラミック圧電素子は通路の両端にそれぞれ設けられた１対のセラミック圧電素子からなることがより好ましい。
【００１６】
また、この場合、圧電体発電手段は環状の衝突壁体と、衝突壁体内を揺動自在な揺動体とを備えており、錘体はこの揺動体の本体からなり、少なくとも１つのセラミック圧電素子は揺動体の本体の両端にそれぞれ設けられた１対のセラミック圧電素子からなることも好ましい。
【００１７】
圧電体発電手段は、シートの揺動によって発電する可撓性を有するストリップ状の圧電フィルムを備えていることも好ましい。圧電体発電手段が圧電フィルムによって発電する構成であるため、圧電体発電手段を安価にかつ軽量に構成することができ、軽量であることにより、シートの揺動がより軽快となり、微風であっても充分な揺動を得て電力を発生することができる。しかも、外部電源や電池が不要であり、圧電フィルムが作動する限り半永久的に動作可能である。
【００１８】
圧電体発電手段は、内部に空間を有する筒状の筐体と、筐体の空間内を移動自在な錘体と、筐体の内壁に固着されており、錘体の衝突によって発電する可撓性を有する圧電フィルムとを備えていることも好ましい。
【００１９】
圧電フィルムは、ポリフッ化ビニリデン（ＰＶＤＦ）によるピエゾフィルムと、ピエゾフィルムの両面に積層された電極層とを備えている可撓性圧電フィルムであることも好ましい。ＰＶＤＦによるピエゾフィルムは非常に軽く柔らかいと共に広い圧力感度を有しているため、シートの揺動により、発光素子を駆動する電圧を発生することが可能となる。
【００２０】
シート、赤外線蛍光体層又は青色蛍光体層を含む少なくとも１つのマーク、少なくとも１つの発光素子、及び駆動回路を密封的に被う透明の防水被覆層をさらに備えていることも好ましい。防水被覆層で密封することにより、鳥獣追い払い装置を全天候状態で使用可能であり、また耐久性が向上する。
【００２１】
少なくとも１つの発光素子は、少なくとも１つのＬＥＤ（発光ダイオード）素子であることが好ましい。ＬＥＤ素子は、種々の半導体素子メーカから市販されているため入手が容易であり、しかも安価かつ低電力で発光量が大きい高発光効率を有しているため、発光素子として優れている。
【００２２】
駆動回路は圧電体発電手段の出力端子間に並列接続されたダイオード素子を備えており、少なくとも１つのＬＥＤ素子はこのダイオード素子に並列かつ逆向きに接続されていることも好ましい。圧電体発電手段の揺動によって発電された電力がそのままＬＥＤ素子に印加され、ＬＥＤ素子からの光が不規則的に変化するため、威嚇及び撃退効果が増大する。
【００２３】
駆動回路は圧電体発電手段の出力端子間にダイオード素子を介して並列接続されたキャパシタを備えており、少なくとも１つのＬＥＤ素子はキャパシタと並列に接続されていることも好ましい。半波整流されてキャパシタに充電された電圧により、ＬＥＤ素子が一定の強さで間欠的に発光するので、発光量が大きくかつ一定となり、優れた威嚇及び撃退効果を得ることができる。
【００２４】
駆動回路は、圧電体発電手段の出力端子間に入力端子が接続された全波整流回路と、全波整流回路の出力端子間に接続された充放電回路とを備えており、少なくとも１つのＬＥＤ素子は充放電回路と並列に接続されていることも好ましい。全波整流されて充放電回路で充電された電圧によってＬＥＤ素子が一定の強さで間欠的に発光するので、さらに発光量が大きくかつ一定となり、さらに優れた威嚇及び撃退効果を得ることができる。
【００２５】
少なくとも１つのＬＥＤ素子は、赤外線波長領域又は青色波長領域を含む光を放射するＬＥＤ素子であることも好ましい。ＬＥＤ素子として、このような赤外線波長領域又は青色波長領域を含む光を放射するＬＥＤ素子を用いることにより、赤外線蛍光体層又は青色蛍光体層における波長変換効率が増大するのみならず、このＬＥＤ素子から放射された赤外線若しくは青色可視光又は光反射層で反射された赤外線若しくは青色可視光が（赤外線蛍光体層又は青色蛍光体層を介することなく）直接的にも鳥獣に照射されるため、より効果的である。
【００２６】
光反射層はシートの全面に形成されており、この光反射層上に複数のマークが固着若しくは形成されていることも好ましい。光反射層によってマークの赤外線蛍光体層又は青色蛍光体層から放射された赤外線又は青色可視光が反射されることにより、鳥獣はより大きな恐怖感を覚えて撃退される。
【００２７】
光反射層は鏡面反射層又はホログラム反射層であることも好ましい。鏡面反射層は鏡面反射することにより、光及び赤外線を反射して鳥獣に照射する。ホログラム反射層は、ホログラム効果によりその模様に応じた不規則的な反射を行う。このため、鳥獣への威嚇効果を増大させることが可能となる。
【００２８】
赤外線蛍光体層若しくは青色蛍光体層は少なくとも１つのマークの各々の全面に積層されているか、又は少なくとも１つのマークの各々の上に所定の模様で積層されていることも好ましい。
【００２９】
少なくとも１つのマークの各々は円形状、長円形状又は楕円形状を有していることも好ましい。
【発明の効果】
【００３０】
本発明の鳥獣追い払い装置は、鳥獣に対して優れた威嚇及び撃退効果を有しており、しかも、その効果が低下せずに長期に渡って維持することができ、また、簡単な構造であるため、非常に安価に提供することができる。
【図面の簡単な説明】
【００３１】
【図１】本発明の一実施形態における鳥獣追い払い装置の全体の構成を概略的に示す（Ａ）正面図、（Ｂ）Ｂ−Ｂ線断面図及び（Ｃ）側面図である。
【図２】図１の実施形態における鳥獣追い払い装置のマーク及び赤外線蛍光体層の種々の変更態様を説明する正面図である。
【図３】図１の実施形態の変更態様における鳥獣追い払い装置の全体の構成を概略的に示す（Ａ）正面図、（Ｂ）Ｂ−Ｂ線断面図及び（Ｃ）側面図である。
【図４】図１の実施形態における鳥獣追い払い装置の圧電フィルムの構造を概略的に示す斜視図である。
【図５】図１の実施形態における鳥獣追い払い装置の圧電フィルムの動作を説明する図である。
【図６】図１の実施形態における鳥獣追い払い装置の電気的構成の一例を概略的に示す回路図である。
【図７】図１の実施形態における鳥獣追い払い装置の電気的構成の他の例を概略的に示す回路図である。
【図８】図１の実施形態における鳥獣追い払い装置の電気的構成のさらに他の例を概略的に示す回路図である。
【図９】図１の実施形態における鳥獣追い払い装置の実際の取り付け及び作動状況を概略的に説明する図である。
【図１０】本発明の他の実施形態における鳥獣追い払い装置の全体の構成を概略的に示す（Ａ）正面図、（Ｂ）Ｂ−Ｂ線断面図及び（Ｃ）側面図である。
【図１１】図１０の実施形態の変更態様における鳥獣追い払い装置の全体の構成を概略的に示す（Ａ）正面図、（Ｂ）Ｂ−Ｂ線断面図及び（Ｃ）側面図である。
【図１２】本発明のさらに他の実施形態における鳥獣追い払い装置の全体の構成を概略的に示す（Ａ）正面図、（Ｂ）Ｂ−Ｂ線断面図及び（Ｃ）側面図である。
【図１３】図１２の実施形態における鳥獣追い払い装置のマーク及び赤外線蛍光体層又は青色蛍光体層の種々の変更態様を説明する正面図である。
【図１４】図１２の実施形態の変更態様における鳥獣追い払い装置の全体の構成を概略的に示す（Ａ）正面図、（Ｂ）Ｂ−Ｂ線断面図及び（Ｃ）側面図である。
【図１５】図１２の実施形態における鳥獣追い払い装置の圧電体発電ユニットの構造を概略的に示す一部破断斜視図である。
【図１６】図１２の実施形態における鳥獣追い払い装置の圧電体発電ユニットの動作を説明する図である。
【図１７】図１２の実施形態における鳥獣追い払い装置の実際の取り付け及び作動状況を概略的に説明する図である。
【図１８】本発明のまたさらに他の実施形態における鳥獣追い払い装置の（Ａ）全体の構成を概略的に示す正面図、（Ｂ）圧電体発電ユニットの構造を概略的に示す斜視図である。
【図１９】本発明のさらに他の実施形態における鳥獣追い払い装置の（Ａ）全体の構成を概略的に示す正面図、（Ｂ）圧電体発電ユニットの構造を概略的に示す一部破断斜視図である。
【発明を実施するための形態】
【００３２】
図１は本発明の一実施形態における鳥獣追い払い装置１０の全体の構成を概略的に示している。ただし、同図（Ａ）はその正面を、同図（Ｂ）はそのＢ−Ｂ線断面を、同図（Ｃ）はその側面をそれぞれ示している。また、図２は鳥獣追い払い装置１０のマーク及び赤外線蛍光体層の種々の変更態様を説明しており、図３は図１の実施形態の変更態様における鳥獣追い払い装置の全体の構成を概略的に示している。ただし、同図（Ａ）はその正面を、同図（Ｂ）はそのＢ−Ｂ線断面を、同図（Ｃ）はその側面をそれぞれ示している。さらに、図４は鳥獣追い払い装置１０の圧電フィルムの構造を概略的に示しており、図５は鳥獣追い払い装置１０の圧電フィルムの動作を説明しており、図６〜図８は鳥獣追い払い装置１０の電気的構成の一例をそれぞれ概略的に示している。
【００３３】
図１（Ａ）及び（Ｃ）に示すように、本実施形態における鳥獣追い払い装置１０は、薄い平坦なシート１１と、シート１１の一方の表面上に固着された複数のマーク１２と、このシート１１を吊り下げるための可撓性を有する紐状体１４と、シート１１の複数のマーク１２が設けられた表面上に固着された発光素子としてのＬＥＤ素子１５と、シート１１の複数のマーク１２が設けられた表面とは反対側の裏面上に固着された駆動回路１６と、シート１１、マーク１２、ＬＥＤ素子１５及び駆動回路１６を密封的に覆う透明の防水被覆層１３とを備えている。
【００３４】
シート１１は、図１（Ｂ）に示すように、本実施形態では、樹脂からなる薄板状の軽量な基板１１ａと、その基板１１ａの片面上の略全表面に例えば蒸着、スパッタリング若しくはめっき等で積層された金属コーティング層による鏡面反射層１１ｂとから構成されている。シート１１の寸法及び形状は、単なる一例であるが、１０ｃｍ×１０ｃｍの略正方形状となっている。形状は正方形状に限定されるものではなく、長方形状であっても良いし、その他の任意の形状であっても良い。また、寸法も、後述するごとく木の枝等に取り付けて揺動するのに適するものであれば、いかなる寸法であっても良い。基板１１ａとしては、樹脂以外に、例えば、紙、木材又は金属の薄板であっても良いし、樹脂、紙、木材及び／又は金属を組み合わせたものであっても良い。鏡面反射層１１ｂは、例えば金属箔層等、金属コーティング層以外にいかなる種類の光反射層であっても良い。また、表面を鏡面仕上げした金属薄板のみからシート１１を構成しても良いことはもちろんである。
【００３５】
さらに、シート１１として、基板１１ａの両面に鏡面反射層１１ｂを有するものを用いても良いし、片面又は両面の一部表面のみに鏡面反射層１１ｂを有するものを用いても良い。さらにまた、光反射層として鏡面反射層に代えて、ホログラム反射層を用いても良い。ホログラム反射層は、例えばホログラムフィルムをコーティングした光反射層であり、通常の鏡面反射層に比して、ホログラム効果によりその模様に応じた不規則的な反射がなされるため、鳥獣への威嚇効果を増大させることが可能である。
【００３６】
マーク１２は、本実施形態では、シート１１の片面の略全表面に形成された鏡面反射層１１ｂ上に賽子の５の目と同様に配置されて接着された複数の（５つの）マークシート１２ａと、これらマークシート１２ａの表面全体に渡って、積層された赤外線蛍光体層１２ｂとから構成されている。マークシート１２ａを用いることなく、鏡面反射層上に直接的に赤外線蛍光体塗料を塗布して任意の形状の赤外線蛍光体層１２ｂを形成し、これをマーク１２としても良い。１枚のシート１１に貼着されるマークシート１２ａの数は、単数であっても、５つ以外の複数であっても良い。例えば、図２（Ａ）に示すように、シート２１Ａ上に４つのマーク２２Ａを設けても良いし、図２（Ｂ）に示すように、シート２１Ｂ上に３つのマーク２２Ｂを設けても良いし、図２（Ｃ）に示すように、シート２１Ｃ上に２つのマーク２２Ｃを設けても良いし、図２（Ｄ）に示すように、シート２１Ｄ上に１つのマーク２２Ｄを設けても良い。
【００３７】
各マークシート１２ａの寸法及び形状は、単なる一例であるが、直径２ｃｍの円形状となっている。形状は円形状に限定されるものではなく、長円形状、楕円形状、矩形形状、菱形形状、台形形状、三角形状又は星形形状であっても良いし、その他の任意の形状であっても良い。また、寸法も、シート１１への貼着に適するものであれば、いかなる寸法であっても良い。マークシート１２ａとしては、例えば、紙、樹脂、木材又は金属の薄板状シートが用いられる。
【００３８】
マークシート１２ａ上に積層される赤外線蛍光体層１２ｂは、波長が５００〜８５０ｎｍ（特に、８００〜８５０ｎｍ）の励起光で励起され、波長が８５０〜１０５０ｎｍ（特に、９５０〜１０２５ｎｍ）の赤外線を放射する赤外蛍光体を塗布又は印刷して形成されている。このような赤外蛍光体としては、例えば根本特殊化学株式会社より赤外発光蛍光体として販売されている。本実施形態では、マークシート１２ａの全面に赤外線蛍光体層１２ｂが形成されているが、例えば、図２（Ｅ）に示すように、シート２１Ｅのマークシート２２Ｅａ上に小さい円形状の赤外線蛍光体層２２Ｅｂを設けても良いし、図２（Ｆ）に示すように、シート２１Ｆのマークシート２２Ｆａ上に小さい円環形状の赤外線蛍光体層２２Ｆｂを設けても良いし、図２（Ｇ）に示すように、シート２１Ｇのマークシート２２Ｇａ上に小さい星型形状の赤外線蛍光体層２２Ｇｂを設けても良いし、図２（Ｈ）に示すように、シート２１Ｈのマークシート２２Ｈａ上に中心の円から複数のラインが放射状に伸長する形状の赤外線蛍光体層２２Ｈｂを設けても良いし、その他の任意の形状の赤外線蛍光体層を設けても良い。なお、図２（Ｅ）〜図２（Ｈ）はシート上に２つのマークを設けた場合であるが、同様のマークを１つ又は３つ以上設けても良いことは明らかである。また、これらのマークを１枚のシート上に組み合わせて設けても良い。
【００３９】
防水被覆層１３は、例えば、ポリエチレン又はポリプロピレン等の無色透明又は有色透明の樹脂被膜でシート１１、マーク１２、ＬＥＤ素子１５及び駆動回路１６を密封して防水するための被覆層である。防水被覆層１３で密封することにより、鳥獣追い払い装置１０を全天候状態で使用可能であり、また耐久性が向上する。
【００４０】
紐状体１４は、本実施形態の鳥獣追い払い装置１０を吊り下げるための可撓性を有する、例えば、布、樹脂又は金属による紐部１４ａと、この紐部１４ａの一端に一端部が連結された可撓性を有するストリップ状の圧電フィルム１４ｂとを備えている。圧電フィルム１４ｂの他端部はシート１１に接着剤又はその他の固定手段を用いて固着されている。圧電フィルム１４ｂは、単なる一例であるが、図４に示すように、ポリフッ化ビニリデン（ＰＶＤＦ）によるピエゾフィルム１４ｂ１と、このピエゾフィルム１４ｂ１を挟んでその両面に、例えば銀をスクリーン印刷することにより、それぞれ形成された１対の電極層１４ｂ２及び１４ｂ３と、一方の電極層１４ｂ３の裏面に積層された可撓性を有するポリマからなる支持層１４ｂ４とを備えた可撓性圧電フィルムである。この種の圧電フィルムは、例えば、メジャーメントスペシャリティズ又は株式会社東京センサ等から市販されている。なお、上述した圧電フィルム１４ｂの構成は、本発明の圧電体発電手段の一例を示すものであり、他の種々の構成の圧電フィルムを本発明の圧電体発電手段として適用可能であることは言うまでもない。本実施形態の変更態様として、圧電フィルム１４ｂの他端部に他の紐部の一端を連結し、その他端をシート１１に連結するように構成しても良い。
【００４１】
このような構成の紐状体１４によれば、図４に示すように、シート１１がシート１１′のように揺動した際に、圧電フィルム１４ｂも圧電フィルム１４ｂ′のごとく変形し、これによってその厚さ方向及び長さ方向に応力が印加されて発電が行われる。特にＰＶＤＦによるピエゾフィルム１４ｂ１は非常に軽く柔らかいと共に広い圧力感度を有しているため、シート１１の揺動により、ＬＥＤ素子１５を駆動する電圧を発生することが可能となる。この圧電フィルム１４ｂの出力端子は、接続線１７により駆動回路１６の入力端子に電気的に接続されている。
【００４２】
ＬＥＤ素子１５は、８００〜８５０ｎｍの赤外線波長領域を含む光を放射する砲弾型又は表面実装型の赤外線ＬＥＤ素子であり、複数のマーク１２に光を照射するように配置されている。この種の赤外線ＬＥＤ素子は、種々の半導体素子メーカから市販されている。なお、図１においては、ＬＥＤ素子１５が単一のＬＥＤ素子として示されているが、ＬＥＤ素子１５が複数のＬＥＤ素子群を１つにまとめたものであっても良い。また、実際に複数のＬＥＤ素子を設け、複数のマークをそれぞれが照射するように配置しても良いことはもちろんである。このＬＥＤ素子１５は、接続線１８により、駆動回路１６の出力端子に電気的に接続されている。ＬＥＤ素子１５として、このような赤外線ＬＥＤ素子を用いることにより、赤外線蛍光体層における波長変換効率が増大するのみならず、このＬＥＤ素子から放射された赤外線又は鏡面反射層若しくはホログラム反射層で反射された赤外線が（赤外線蛍光体層を介することなく）直接的にも鳥獣に照射されるため、より効果的である。ただし、ＬＥＤ素子１５として、必ずしも赤外線ＬＥＤ素子を用いる必要はなく、通常の可視光のＬＥＤ素子を用い、マーク１２の赤外線蛍光体層においてその光を波長変換して赤外線波長領域に近い可視光又は赤外線を放射させても良い。ＬＥＤ素子は、種々の半導体素子メーカから市販されているため入手が容易であり、しかも安価かつ低電力で発光量が大きい高発光効率を有している。ただし、低電力で発光量の大きい発光素子が存在すれば、この発光素子をＬＥＤ素子に代えて用いても良い。
【００４３】
本実施形態における駆動回路１６は、図５に示すように、圧電フィルム１４ｂの出力端子間に並列接続されたダイオード素子１６ａを備えており、このダイオード素子１６ａに並列かつ逆向きにＬＥＤ素子１５が接続されている。なお、図５において、ＬＥＤ素子１５は単一のＬＥＤ素子として示されているが、複数（例えば２〜４個）のＬＥＤ素子を直列接続したものであっても良い。圧電フィルム１４ｂの揺動によって発電された電力がそのままＬＥＤ素子１５に印加され、ＬＥＤ素子１５からの光が不規則的に変化するため、威嚇及び撃退効果が増大する。
【００４４】
以上述べた実施形態においては、マーク１２は、マークシート１２ａの表面全体に渡って赤外線蛍光体層１２ｂを積層して構成されており、ＬＥＤ素子１５は赤外線ＬＥＤ素子で構成されている。しかしながら、本実施形態の変更態様においては、図３に示すように、マーク３２を、マークシート３２ａの表面全体に渡って青色蛍光体層３２ｂを積層して構成しても良い。この場合、シート１１の片面又は両面の略全表面に形成された鏡面反射層１１ｂ上にマークシート３２ａが設けられる。マークシート３２ａを用いることなく、鏡面反射層上に直接的に青色蛍光体塗料を塗布して（赤外線蛍光体層１２ｂと同様な形態に）任意形状の青色蛍光体層３２ｂを形成し、これをマーク３２としても良い。この場合も、１枚のシート１１に貼着されるマークシート３２ａの数は、単数であっても、５つ以外の複数であっても良い。また、一部のマークシート３２ａに赤外線蛍光体層１２ｂを形成又は積層し、他のマークシート３２ａに青色蛍光体層３２ｂを形成又は積層しても良い。さらに、各マークシート３２ａの一部に赤外線蛍光体層１２ｂと青色蛍光体層３２ｂとを形成又は積層しても良い。
【００４５】
マークシート３２ａ上に積層される青色蛍光体層３２ｂは、可視光で励起され、波長が３８０〜５００ｎｍ程度の青色可視光線を放射する青色蛍光体を塗布又は印刷して形成される。このような青色蛍光体としては、種々の蛍光体が提案されている。例えば、マークシート３２ａの全面に青色蛍光体層３２ｂを形成しても良いし、図２（Ｅ）に示すように、マークシート２２Ｅａ上に小さい円形状の（赤外線蛍光体層１２Ｅｂと同様な形態の）青色蛍光体層を設けても良いし、図２（Ｆ）に示すように、マークシート２２Ｆａ上に小さい円環形状の（赤外線蛍光体層１２Ｆｂと同様な形態の）青色蛍光体層を設けても良いし、図２（Ｇ）に示すように、マークシート２２Ｇａ上に小さい星型形状の（赤外線蛍光体層１２Ｇｂと同様な形態の）青色蛍光体層を設けても良いし、図２（Ｈ）に示すように、マークシート２２Ｈａ上に中心の円から複数のラインが放射状に伸長する形状の（赤外線蛍光体層１２Ｈｂと同様な形態の）青色蛍光体層を設けても良いし、その他の任意の形状の青色蛍光体層を設けても良い。なお、図２（Ｅ）〜図２（Ｈ）はシート上に２つのマークを設けた場合であるが、同様のマークを１つ又は３つ以上設けても良いことは明らかである。また、これらのマークを１枚のシート上に組み合わせて設けても良い。
【００４６】
さらにこの場合、ＬＥＤ素子３５として、３８０〜５００ｎｍの青色波長領域（青色、青緑色、青紫色及び／又は紫色の波長領域）を含む青色可視光を放射する砲弾型又は表面実装型のＬＥＤ素子であることが望ましく、複数のマーク３２にこのような可視光を照射するように配置されている。この種の青色ＬＥＤ素子は、種々の半導体素子メーカから市販されている。なお、図３においては、ＬＥＤ素子３５が単一のＬＥＤ素子として示されているが、ＬＥＤ素子３５が複数のＬＥＤ素子群を１つにまとめたものであっても良い。また、実際に複数のＬＥＤ素子を設け、複数のマークをそれぞれが照射するように配置しても良いことはもちろんである。ＬＥＤ素子１５として、このような青色ＬＥＤ素子を用いることにより、青色蛍光体層における波長変換効率が増大するのみならず、このＬＥＤ素子から放射された青色可視光又は鏡面反射層若しくはホログラム反射層で反射された青色可視光が（青色蛍光体層を介することなく）直接的にも鳥獣に照射されるため、より効果的である。ただし、ＬＥＤ素子３５として、必ずしも青色ＬＥＤ素子を用いる必要はなく、通常の可視光のＬＥＤ素子を用い、マーク３２の青色蛍光体層においてその光を波長変換して青色波長領域に近い可視光を放射させても良い。ＬＥＤ素子は、種々の半導体素子メーカから市販されているため入手が容易であり、しかも安価かつ低電力で発光量が大きい高発光効率を有している。ただし、低電力で発光量の大きい発光素子が存在すれば、この発光素子をＬＥＤ素子に代えて用いても良い。
【００４７】
図７は駆動回路の他の構成例を示している。図６の例では圧電フィルム１４ｂの出力電圧がそのままＬＥＤ素子１５に印加されるため、圧電フィルム１４ｂが変形した際に瞬時に発光する構成である。これに対して、図７の駆動回路７６では、圧電フィルム１４ｂの出力端子間にダイオード素子７６ａを介して並列接続されたキャパシタ７６ｂが設けられており、ＬＥＤ素子１５はこのキャパシタ７６ｂと並列に接続されているため、圧電フィルム１４ｂの出力電圧は、ダイオード素子７６ａによって半波整流されてキャパシタ７６ｂに印加されることによりこのキャパシタ７６ｂが充電され、このキャパシタ７６ｂの充電電圧によってＬＥＤ素子１５が一定の強さで間欠的に発光する。その結果、図６の駆動回路を利用した場合に比して、より発光量が大きくかつ一定となり、より優れた威嚇及び撃退効果を得ることができる。なお、図７において、ＬＥＤ素子１５は単一のＬＥＤ素子として示されているが、複数（例えば２〜４個）のＬＥＤ素子を直列接続したものであっても良い。
【００４８】
図８は駆動回路のさらに他の構成例を示している。この図８の駆動回路８６では、圧電フィルム１４ｂの出力端子間に全波整流回路８６ａの入力端子が接続されており、この全波整流回路８６ａの出力端子間にキャパシタ８６ｂ及び抵抗８６ｃの直列回路からなる充放電回路が接続されている。ＬＥＤ素子１５はこの充放電回路と並列に接続されているため、圧電フィルム１４ｂの出力電圧は、全波整流回路８６ａによって全波整流されて充放電回路に印加されることによりそのキャパシタ８６ｂが充電され、このキャパシタ８６ｂの充電電圧によってＬＥＤ素子１５が一定の強さで間欠的に発光する。その結果、図７の駆動回路を利用した場合に比して、さらに発光量が大きくかつ一定となり、さらに優れた威嚇及び撃退効果を得ることができる。なお、図８において、ＬＥＤ素子１５は単一のＬＥＤ素子として示されているが、複数（例えば２〜４個）のＬＥＤ素子を直列接続したものであっても良い。
【００４９】
以下、本実施形態及び上述の変更態様における鳥獣追い払い装置１０の動作及び作用効果を説明する。鳥獣追い払い装置１０は、図９に示すように、例えば、追い払うべき鳥獣が通る獣道９０に沿って位置する例えば木の枝９１等に紐状体１４によって結び付けることによって設置する。風等によって木の枝９１が、及び／又は鳥獣追い払い装置１０自体が不規則的に揺動することにより、紐状体１４の圧電フィルム１４ｂが変形し、これによってその厚さ方向及び長さ方向に応力が印加されて不規則的な発電が行われる。発生した不規則的に変化する電圧は、駆動回路１６を介してＬＥＤ素子１５又は３５にその都度印加され、このＬＥＤ素子１５又は３５から赤外線波長領域又は青色波長領域を含む光が放射される。
【００５０】
周囲環境が明るい場合は、シート１１の略全表面に形成された鏡面反射層又はホログラム反射層における太陽光又は周囲光の反射によって鳥獣に忌避感を与えてある程度の追い払い効果が発揮されるが、周囲環境が暗い場合は、ＬＥＤ素子１５又は３５からの不規則的又は間欠的に変化する光がマーク１２又は３２の赤外線蛍光体層１２ｂ又は青色蛍光体層３２ｂに入射されることにより、赤外線蛍光体層１２ｂはその光を波長変換して赤外線波長領域に近い可視光若しくは赤外線を放射し、青色蛍光体層３２ｂはその光を波長変換して青色波長領域の可視光を放射する。さらに、シート１１の表面の鏡面反射層又はホログラム反射層においても、ＬＥＤ素子１５又は３５からの可視光及び赤外線放射又は青色可視光放射の反射が生じる。このように、本実施形態によれば、ＬＥＤ素子１５又は３５によりマーク１２又は３２の赤外線蛍光体層１２ｂ又は青色蛍光体層３２ｂに光を照射しているので、赤外線蛍光体層１２ｂ又は青色蛍光体層３２ｂは、より多くの赤外線又は青色可視光を放射することができる。また、周囲光が存在しない場合にも、赤外線又は青色可視光を放射することができる。しかも、圧電フィルム１４ｂによって発電して得た電力によって駆動されるので、外部電源や電池が不要であり、しかも圧電フィルム１４ｂが作動する限り半永久的に動作可能である。
【００５１】
鳥獣、特に野生の鹿等は赤外線波長領域に近い可視光又は赤外線に対して非常に敏感であることが本願発明者によって確認されており、また、特に野生の猪等は青色波長領域（青色、青緑色、青紫色及び／又は紫色の波長領域）に近い可視光に対して非常に敏感であると共に赤色及び橙色（オレンジ色）を嫌うことが知られている。このような波長領域において、不規則的に揺動するシート１１上のマーク１２又は３２の赤外線蛍光体層が赤外線を、及び／又は青色蛍光体層が青色可視光を発生させることにより、鳥獣は恐怖感を覚えて撃退される。しかも、鏡面反射層によってマーク１２又は３２の赤外線蛍光体層１２ｂから放射された赤外線及び／又は青色蛍光体層から放射された青色可視光が鏡面反射されることにより、鳥獣はより大きな恐怖感を覚えて撃退される。特に本実施形態では、ＬＥＤ素子１５又は３５からの光が不規則的に及び／又は間欠的に変化するため、威嚇及び撃退効果が増大する。一度撃退されると、その鳥獣は二度と現れなくなり、その撃退効果は長期に渡って低下せずに維持されることも確認されている。また、大きな音を発生するものではないため、夜間に周囲環境に迷惑を与えることもない。このように、本実施形態の鳥獣追い払い装置１０は、優れた威嚇及び撃退効果を有しており、しかも、その効果が低下せずに長期に渡って維持することができる。特に、本実施形態の鳥獣追い払い装置１０は、簡単な構造であるため、非常に安価に提供することができる。
【００５２】
なお、本願出願人が既に出願した特願２０１１−１８５６３８（平成２３年８月２９日出願）のごとく、周囲環境があらかじめ定めた暗さ状態より暗く、かつ、撃退すべき鳥獣が接近した場合にのみ閃光を発生させる装置と組み合わせた場合に、その閃光が赤外線蛍光体層１２ｂ又は青色蛍光体層３２ｂに入射されることにより、この赤外線蛍光体層１２ｂから赤外波長領域に近い可視光若しくは赤外線が、又は青色蛍光体層３２ｂから青色可視光が強く放射され、さらに、鏡面反射層１１ｂにおいても、その閃光及び赤外線放射又は青色可視光放射の強い反射が生じるため、より優れた鳥獣威嚇及び撃退効果を得ることができる。
【００５３】
図１０は本発明の他の実施形態における鳥獣追い払い装置１００の全体の構成を概略的に示している。ただし、同図（Ａ）はその正面を、同図（Ｂ）はそのＢ−Ｂ線断面を、同図（Ｃ）はその側面をそれぞれ示している。本実施形態は、図１の実施形態に対して、シート１１上に２つのマーク１０２を設けたこと、及び２つのマーク１０２上に２つのＬＥＤ素子１０５をそれぞれ設けたことのみが異なっており、その他の構成は同様である。従って、本実施形態において、図１の実施形態の場合と同様の構成要素については、同じ参照符号を用い、詳細な説明は省略する。
【００５４】
図１０（Ａ）及び（Ｃ）に示すように、本実施形態における鳥獣追い払い装置１００は、薄い平坦なシート１１と、シート１１の一方の表面上に固着された２つのマーク１０２と、このシート１１を吊り下げるための可撓性を有する紐状体１４と、シート１１の２つのマーク１０２上にそれぞれ固着された発光素子としての２つのＬＥＤ素子１０５と、シート１１の２つのマーク１０２が設けられた表面とは反対側の裏面上に固着された駆動回路１６と、シート１１、マーク１０２、ＬＥＤ素子１０５及び駆動回路１６を密封的に覆う透明の防水被覆層１３とを備えている。
【００５５】
２つのマーク１０２は、本実施形態では、シート１１の片面の略全表面に形成された鏡面反射層１１ｂ上に横並びに配置されて接着された２つのマークシート１０２ａと、これらマークシート１０２ａの表面全体に渡って、積層された赤外線蛍光体層１０２ｂとから構成されている。マークシート１０２ａを用いることなく、鏡面反射層上に直接的に赤外線蛍光体塗料を塗布して任意形状の赤外線蛍光体層１０２ｂを形成し、これをマーク１０２としても良い。１枚のシート１１に貼着されるマークシート１０２ａの数は、単数であっても、２つ以外の複数であっても良い。
【００５６】
各マークシート１０２ａの寸法及び形状は、単なる一例であるが、直径２ｃｍの円形状となっている。形状は円形状に限定されるものではなく、長円形状、楕円形状、矩形形状、菱形形状、台形形状、三角形状又は星形形状であっても良いし、その他の任意の形状であっても良い。また、寸法も、シート１１への貼着に適するものであれば、いかなる寸法であっても良い。マークシート１０２ａとしては、例えば、紙、樹脂、木材又は金属の薄板状シートが用いられる。
【００５７】
マークシート１０２ａ上に積層される赤外線蛍光体層１０２ｂは、波長が５００〜８５０ｎｍ（特に、８００〜８５０ｎｍ）の励起光で励起され、波長が８５０〜１０５０ｎｍ（特に、９５０〜１０２５ｎｍ）の赤外線を放射する赤外蛍光体を塗布又は印刷して形成されている。このような赤外蛍光体としては、例えば根本特殊化学株式会社より赤外発光蛍光体として販売されている。本実施形態では、マークシート１０２ａの全面に赤外線蛍光体層１０２ｂが形成されているが、前述した、図２（Ｅ）〜図２（Ｈ）に示すように、マークシートの一部に赤外線蛍光体層を設けても良い。なお、図２（Ｅ）〜図２（Ｈ）はシート上に２つのマークを設けた場合であるが、同様のマークを１つ又は３つ以上設けても良いことは明らかである。また、これらのマークを１枚のシート上に組み合わせて設けても良い。
【００５８】
２つのＬＥＤ素子１０５は、８００〜８５０ｎｍの赤外線波長領域を含む光を放射する砲弾型又は表面実装型の赤外線ＬＥＤ素子であり、２つのマーク１０２上にそれぞれ固着されている。この種の赤外線ＬＥＤ素子は、種々の半導体素子メーカから市販されている。なお、本実施形態では、２つのＬＥＤ素子を用いているが、単一の又は３つ以上のＬＥＤ素子をそれぞれのマーク上に配置しても良いことはもちろんである。また、各ＬＥＤ素子１０５が複数のＬＥＤ素子群を１つにまとめたものであっても良い。各ＬＥＤ素子１０５は、接続線１０８により、駆動回路１６の出力端子に電気的に接続されている。ＬＥＤ素子１０５として、このような赤外線ＬＥＤ素子を用いることにより、赤外線蛍光体層における波長変換効率が増大するのみならず、このＬＥＤ素子から放射された赤外線又は鏡面反射層若しくはホログラム反射層で反射された赤外線が（赤外線蛍光体層を介することなく）直接的にも鳥獣に照射されるため、より効果的である。ただし、ＬＥＤ素子１０５として、必ずしも赤外線ＬＥＤ素子を用いる必要はなく、通常の可視光のＬＥＤ素子を用い、マーク１０２の赤外線蛍光体層においてその光を波長変換して赤外線波長領域に近い可視光又は赤外線を放射させても良い。ＬＥＤ素子は、種々の半導体素子メーカから市販されているため入手が容易であり、しかも安価かつ低電力で発光量が大きい高発光効率を有している。ただし、低電力で発光量の大きい発光素子が存在すれば、この発光素子をＬＥＤ素子に代えて用いても良い。
【００５９】
以上述べた実施形態においては、マーク１０２は、マークシート１０２ａの表面全体に渡って赤外線蛍光体層１０２ｂを積層して構成されており、ＬＥＤ素子１０５は赤外線ＬＥＤ素子で構成されている。しかしながら、本実施形態の変更態様においては、図１１に示すように、マーク１１２を、マークシート１１２ａの表面全体に渡って青色蛍光体層１１２ｂを積層して構成しても良い。この場合、シート１１の片面又は両面の略全表面に形成された鏡面反射層１１ｂ上にマークシート１１２ａが設けられる。マークシート１１２ａを用いることなく、鏡面反射層上に直接的に青色蛍光体塗料を塗布して（赤外線蛍光体層１０２ｂと同様な形態の）青色蛍光体層１１２ｂを形成し、これをマーク１１２としても良い。この場合も、１枚のシート１１に貼着されるマークシート１１２ａの数は、単数であっても、２つ以外の複数であっても良い。また、一部のマークシート１１２ａに赤外線蛍光体層１０２ｂを形成又は積層し、他のマークシート１１２ａに青色蛍光体層１１２ｂを形成又は積層しても良い。さらに、各マークシート１１２ａの一部に赤外線蛍光体層１０２ｂと青色蛍光体層１１２ｂとを形成又は積層しても良い。
【００６０】
マークシート１１２ａ上に積層される青色蛍光体層１１２ｂは、可視光で励起され、波長が３８０〜５００ｎｍ程度の青色可視光線を放射する青色蛍光体を塗布又は印刷して形成される。このような青色蛍光体としては、種々の蛍光体が提案されている。本実施形態では、マークシート１１２ａの全面に青色蛍光体層１１２ｂが形成されているが、前述した、図２（Ｅ）〜図２（Ｈ）に示すように、マークシートの一部に青色蛍光体層を設けても良い。なお、図２（Ｅ）〜図２（Ｈ）はシート上に２つのマークを設けた場合であるが、同様のマークを１つ又は３つ以上設けても良いことは明らかである。また、これらのマークを１枚のシート上に組み合わせて設けても良い。
【００６１】
さらにこの場合、２つのＬＥＤ素子１１５は、３８０〜５００ｎｍの青色波長領域（青色、青緑色、青紫色及び／又は紫色の波長領域）を含む青色可視光を放射する砲弾型又は表面実装型のＬＥＤ素子であることが望ましく、２つのマーク１１２上にそれぞれ固着されている。この種の青色ＬＥＤ素子は、種々の半導体素子メーカから市販されている。なお、本実施形態では、２つのＬＥＤ素子を用いているが、単一の又は３つ以上のＬＥＤ素子をそれぞれのマーク上に配置しても良いことはもちろんである。また、各ＬＥＤ素子１１５が複数のＬＥＤ素子群を１つにまとめたものであっても良い。ＬＥＤ素子１１５として、このような青色ＬＥＤ素子を用いることにより、青色蛍光体層における波長変換効率が増大するのみならず、このＬＥＤ素子から放射された青色可視光又は鏡面反射層若しくはホログラム反射層で反射された青色可視光が（青色蛍光体層を介することなく）直接的にも鳥獣に照射されるため、より効果的である。ただし、ＬＥＤ素子１１５として、必ずしも青色ＬＥＤ素子を用いる必要はなく、通常の可視光のＬＥＤ素子を用い、マーク１１２の青色蛍光体層１１２ｂにおいてその光を波長変換して青色波長領域に近い可視光を放射させても良い。ＬＥＤ素子は、種々の半導体素子メーカから市販されているため入手が容易であり、しかも安価かつ低電力で発光量が大きい高発光効率を有している。ただし、低電力で発光量の大きい発光素子が存在すれば、この発光素子をＬＥＤ素子に代えて用いても良い。
【００６２】
本実施形態におけるその他の構成及び作用効果並びに変更態様は、図１の実施形態の場合と略同様である。
【００６３】
図１２は本発明のさらに他の実施形態における鳥獣追い払い装置１２０の全体の構成を概略的に示している。ただし、同図（Ａ）はその正面を、同図（Ｂ）はそのＢ−Ｂ線断面を、同図（Ｃ）はその側面をそれぞれ示している。また、図１３は鳥獣追い払い装置１２０のマーク及び赤外線蛍光体層の種々の変更態様を説明しており、図１４は図１２の実施形態の変更態様における鳥獣追い払い装置の全体の構成を概略的に示している。ただし、同図（Ａ）はその正面を、同図（Ｂ）はそのＢ−Ｂ線断面を、同図（Ｃ）はその側面をそれぞれ示している。さらに、図１５は鳥獣追い払い装置１２０の圧電体発電ユニットの構造を概略的に示しており、図１６は鳥獣追い払い装置１２０の圧電体発電ユニットの動作を説明している。
【００６４】
図１２（Ａ）及び（Ｃ）に示すように、本実施形態における鳥獣追い払い装置１２０は、薄い平坦なシート１２１と、シート１２１の一方の表面上に固着された２つのマーク１２２と、このシート１２１を吊り下げるための可撓性を有しかつ後述する圧電体発電ユニットが連結されている紐状体１２４と、シート１２１の２つのマーク１２２上にそれぞれ固着された発光素子としての２つのＬＥＤ素子１２５と、シート１２１の２つのマーク１２２が設けられた表面とは反対側の裏面上に固着された駆動回路１２６と、シート１２１、マーク１２２、ＬＥＤ素子１２５及び駆動回路１２６を密封的に覆う透明の防水被覆層１２３とを備えている。
【００６５】
シート１２１は、図１２（Ｂ）に示すように、本実施形態では、樹脂からなる薄板状の軽量な基板１２１ａと、その基板１２１ａの片面上の略全表面に例えば蒸着、スパッタリング若しくはめっき等で積層された金属コーティング層による鏡面反射層１２１ｂとから構成されている。シート１２１の寸法及び形状は、単なる一例であるが、１０ｃｍ×１０ｃｍの略正方形状となっている。形状は正方形状に限定されるものではなく、長方形状であっても良いし、その他の任意の形状であっても良い。また、寸法も、後述するごとく木の枝等に取り付けて揺動するのに適するものであれば、いかなる寸法であっても良い。基板１２１ａとしては、樹脂以外に、例えば、紙、木材又は金属の薄板であっても良いし、樹脂、紙、木材及び／又は金属を組み合わせたものであっても良い。鏡面反射層１２１ｂは、例えば金属箔層等、金属コーティング層以外にいかなる種類の光反射層であっても良い。また、表面を鏡面仕上げした金属薄板のみからシート１２１を構成しても良いことはもちろんである。
【００６６】
さらに、シート１２１として、基板１２１ａの両面に鏡面反射層１２１ｂを有するものを用いても良いし、片面又は両面の一部表面のみに鏡面反射層１２１ｂを有するものを用いても良い。さらにまた、光反射層として鏡面反射層に代えて、ホログラム反射層を用いても良い。ホログラム反射層は、例えばホログラムフィルムをコーティングした光反射層であり、通常の鏡面反射層に比して、ホログラム効果によりその模様に応じた不規則的な反射がなされるため、鳥獣への威嚇効果を増大させることが可能である。
【００６７】
マーク１２２は、本実施形態では、シート１２１の片面の略全表面に形成された鏡面反射層１２１ｂ上に横方向に並んで配置されて接着された２つのマークシート１２２ａと、これらマークシート１２２ａの表面全体に渡って、積層された赤外線蛍光体層１２２ｂとから構成されている。マークシート１２２ａを用いることなく、鏡面反射層上に直接的に赤外線蛍光体塗料を塗布して任意の形状の赤外線蛍光体層１２２ｂを形成し、これをマーク１２２としても良い。１枚のシート１２１に貼着されるマークシート１２２ａの数は、単数であっても、３つ以外の複数であっても良い。例えば、図１３（Ａ）に示すように、シート１３１Ａ上に４つのマーク１３２Ａを設けても良いし、図１３（Ｂ）に示すように、シート１３１Ｂ上に３つのマーク１３２Ｂを設けても良いし、図１３（Ｃ）に示すように、シート１３１Ｃ上に２つのマーク１３２Ｃを設けても良いし、図１３（Ｄ）に示すように、シート１３１Ｄ上に１つのマーク１３２Ｄを設けても良い。
【００６８】
各マークシート１２２ａの寸法及び形状は、単なる一例であるが、直径２ｃｍの円形状となっている。形状は円形状に限定されるものではなく、長円形状、楕円形状、矩形形状、菱形形状、台形形状、三角形状又は星形形状であっても良いし、その他の任意の形状であっても良い。また、寸法も、シート１２１への貼着に適するものであれば、いかなる寸法であっても良い。マークシート１２２ａとしては、例えば、紙、樹脂、木材又は金属の薄板状シートが用いられる。
【００６９】
マークシート１２２ａ上に積層される赤外線蛍光体層１２２ｂは、波長が５００〜８５０ｎｍ（特に、８００〜８５０ｎｍ）の励起光で励起され、波長が８５０〜１０５０ｎｍ（特に、９５０〜１０２５ｎｍ）の赤外線を放射する赤外蛍光体を塗布又は印刷して形成されている。このような赤外蛍光体としては、例えば根本特殊化学株式会社より赤外発光蛍光体として販売されている。本実施形態では、マークシート１２２ａの全面に赤外線蛍光体層１２２ｂが形成されているが、例えば、図１３（Ｅ）に示すように、シート１３１Ｅのマークシート１３２Ｅａ上に小さい円形状の赤外線蛍光体層１３２Ｅｂを設けても良いし、図１３（Ｆ）に示すように、シート１３１Ｆのマークシート１３２Ｆａ上に小さい円環形状の赤外線蛍光体層１３２Ｆｂを設けても良いし、図１３（Ｇ）に示すように、シート１３１Ｇのマークシート１３２Ｇａ上に小さい星型形状の赤外線蛍光体層１３２Ｇｂを設けても良いし、図１３（Ｈ）に示すように、シート１３１Ｇのマークシート１３２Ｈａ上に中心の円から複数のラインが放射状に伸長する形状の赤外線蛍光体層１３２Ｈｂを設けても良いし、その他の任意の形状の赤外線蛍光体層を設けても良い。なお、図１３（Ｅ）〜図１３（Ｈ）はシート上に２つのマークを設けた場合であるが、同様のマークを１つ又は３つ以上設けても良いことは明らかである。また、これらのマークを１枚のシート上に組み合わせて設けても良い。
【００７０】
防水被覆層１２３は、例えば、ポリエチレン又はポリプロピレン等の無色透明又は有色透明の樹脂被膜でシート１２１、マーク１２２、ＬＥＤ素子１２５及び駆動回路１２６を密封して防水するための被覆層である。防水被覆層１２３で密封することにより、鳥獣追い払い装置１２０を全天候状態で使用可能であり、また耐久性が向上する。
【００７１】
紐状体１２４は、本実施形態の鳥獣追い払い装置１２０を吊り下げるための可撓性を有する、例えば、布、樹脂又は金属による第１の紐部１２４ａと、この第１の紐部１２４ａの一端に上端部が連結された圧電体発電ユニット１２４ｂ（本発明の圧電体発電手段に対応する）と、この圧電体発電ユニット１２４ｂの下端部に一端が連結され、他端がシート１２１の上端部に連結された第２の紐部１２４ｃとを備えている。
【００７２】
圧電体発電ユニット１２４ｂは、図１５にその構造が概略的に示されているように、表板１５０ａ、裏板１５０ｂ、天板１５０ｃ、底板１５０ｄ、一方の側板１５０ｅ及び他方の側板１５０ｆによって囲まれる筐体１５０を備えており、この筐体１５０内に、天板１５０ｃ及び底板１５０ｄと平行に横方向に伸長する天板側仕切板１５１ａ及び底板側仕切板１５１ｂが設けられている。これら天板側仕切板１５１ａ及び底板側仕切板１５１ｂは筐体１５０と、筐体１５０の表板１５０ａ及び裏板１５０ｂとの間に球状の錘体１５２の通路１５３が形成されている。通路１５３の両端には、１対の圧電セラミック素子１５４ａ及び１５４ｂが側板１５０ｅ及び１５０ｆにそれぞれ固着して設けられている。例えば鉄又はステンレススチールで形成された球状の錘体１５２は、通路１５３内を移動自在となっており、シート１２１の揺動によって通路１５３が傾斜することにより、自重によって移動し、圧電セラミック素子１５４ａ又は１５４ｂに衝突するように構成されている。なお、この圧電体発電ユニット１２４ｂの構成は、本発明の圧電体発電手段の一例を示すものであり、他の種々の構成を本発明の圧電体発電手段として適用可能である。即ち、シート１２１の揺動又はシート１２１とは別個の部材の揺動によって錘体が圧電セラミック素子に衝突する構造であればいかなる構造のものも適用可能である。例えば、風によって揺動する部材に連結された錘体が圧電セラミック素子に衝突する構造、又は錘体が磁性体である場合、風によって揺動する永久磁石によって錘体が移動して圧電セラミック素子に衝突する構造等であっても良い。
【００７３】
圧電セラミック素子１５４ａ及び１５４ｂの各々は、例えばペロブスカイト型結晶構造の強誘電体セラミックスを分極して圧電効果を付与した圧電体セラミックス材料を挟んでその両面に金属電極を設けて構成されている。圧電セラミック素子１５４ａの両面の金属電極には引出し線１５５ａの一端が、圧電セラミック素子１５４ｂの両面の金属電極には引出し線１５５ｂの一端がそれぞれ電気的に接続されており、これら引出し線１５５ａ及び１５５ｂの他端は接続線１２７の一端に電気的に並列接続されている。なお、この種の圧電セラミック素子は、種々の圧電セラミックメーカから市販されている。
【００７４】
このような構成の紐状体１２４によれば、図１６に示すように、シート１２１がシート１２１′のように揺動した際に、圧電体発電ユニット１２４ｂも圧電体発電ユニット１２４ｂ′のごとく揺動し、これによってその内部の錘体１５２が通路１５３内を移動して圧電セラミック素子１５４ａ又は１５４ｂに衝突し、この圧電セラミック素子から電気出力が発生する。圧電セラミック素子は、図１、図１０及び図１１の実施形態における圧電フィルムに比して、より高い電圧及びより大きい電気量を発生するため、本実施形態によれば、シート１２１の揺動により、ＬＥＤ素子１２５を駆動する充分な電圧を発生することが可能となる。この圧電体発電ユニット１２４ｂからの接続線１２７の他端は、駆動回路１２６の入力端子に電気的に接続されている。
【００７５】
２つのＬＥＤ素子１２５は、８００〜８５０ｎｍの赤外線波長領域を含む光を放射する砲弾型又は表面実装型の赤外線ＬＥＤ素子であり、２つのマーク１２２上にそれぞれ固着されている。この種の赤外線ＬＥＤ素子は、種々の半導体素子メーカから市販されている。なお、本実施形態では、２つのＬＥＤ素子を用いているが、図１３（Ａ）〜図１３（Ｄ）に示すように、３つ以上又は単一のＬＥＤ素子１２５をそれぞれのマーク上に配置しても良いことはもちろんである。また、各ＬＥＤ素子１２５が複数のＬＥＤ素子群を１つにまとめたものであっても良い。各ＬＥＤ素子１２５は、接続線１２８により、駆動回路１２６の出力端子に電気的に接続されている。ＬＥＤ素子１２５として、このような赤外線ＬＥＤ素子を用いることにより、赤外線蛍光体層における波長変換効率が増大するのみならず、このＬＥＤ素子から放射された赤外線又は鏡面反射層若しくはホログラム反射層で反射された赤外線が（赤外線蛍光体層を介することなく）直接的にも鳥獣に照射されるため、より効果的である。ただし、ＬＥＤ素子１２５として、必ずしも赤外線ＬＥＤ素子を用いる必要はなく、通常の可視光のＬＥＤ素子を用い、マーク１２２の赤外線蛍光体層１２２ｂにおいてその光を波長変換して赤外線波長領域に近い可視光又は赤外線を放射させても良い。ＬＥＤ素子は、種々の半導体素子メーカから市販されているため入手が容易であり、しかも安価かつ低電力で発光量が大きい高発光効率を有している。ただし、低電力で発光量の大きい発光素子が存在すれば、この発光素子をＬＥＤ素子に代えて用いても良い。
【００７６】
本実施形態における駆動回路１２６は、前述した図６〜図８のいずれかに示す構成と同様であっても良いし、その他の構成であっても良い。
【００７７】
以上述べた実施形態においては、マーク１２２は、マークシート１２２ａの表面全体に渡って赤外線蛍光体層１２２ｂを積層して構成されており、ＬＥＤ素子１２５は赤外線ＬＥＤ素子で構成されている。しかしながら、本実施形態の変更態様においては、図１４に示すように、マーク１４２を、マークシート１４２ａの表面全体に渡って青色蛍光体層１４２ｂを積層して構成しても良い。この場合、シート１２１の片面又は両面の略全表面に形成された鏡面反射層１２１ｂ上にマークシート１４２ａが設けられる。マークシート１４２ａを用いることなく、鏡面反射層上に直接的に青色蛍光体塗料を塗布して（赤外線蛍光体層１２２ｂと同様な形態の）青色蛍光体層１４２ｂを形成し、これをマーク１４２としても良い。この場合も、１枚のシート１２１に貼着されるマークシート１４２ａの数は、単数であっても、２つ以外の複数であっても良い。また、一部のマークシート１４２ａに赤外線蛍光体層１２２ｂを形成又は積層し、他のマークシート１４２ａに青色蛍光体層１４２ｂを形成又は積層しても良い。さらに、各マークシート１４２ａの一部に赤外線蛍光体層１２２ｂと青色蛍光体層１４２ｂとを形成又は積層しても良い。
【００７８】
マークシート１４２ａ上に積層される青色蛍光体層１４２ｂは、可視光で励起され、波長が３８０〜５００ｎｍ程度の青色可視光線を放射する青色蛍光体を塗布又は印刷して形成される。このような青色蛍光体としては、種々の蛍光体が提案されている。本実施形態では、マークシート１４２ａの全面に青色蛍光体層１４２ｂが形成されているが、前述した、図１３（Ｅ）〜図１３（Ｈ）に示すように、マークシートの一部に青色蛍光体層を設けても良い。なお、図１３（Ｅ）〜図１３（Ｈ）はシート上に２つのマークを設けた場合であるが、同様のマークを１つ又は３つ以上設けても良いことは明らかである。また、これらのマークを１枚のシート上に組み合わせて設けても良い。
【００７９】
さらにこの場合、２つのＬＥＤ素子１４５は、３８０〜５００ｎｍの青色波長領域（青色、青緑色、青紫色及び／又は紫色の波長領域）を含む青色可視光を放射する砲弾型又は表面実装型のＬＥＤ素子であることが望ましく、２つのマーク１４２上にそれぞれ固着されている。この種の青色ＬＥＤ素子は、種々の半導体素子メーカから市販されている。なお、本実施形態では、２つのＬＥＤ素子１４５を用いているが、単一の又は３つ以上のＬＥＤ素子をそれぞれのマーク上に配置しても良いことはもちろんである。また、各ＬＥＤ素子１４５が複数のＬＥＤ素子群を１つにまとめたものであっても良い。ＬＥＤ素子１４５として、このような青色ＬＥＤ素子を用いることにより、青色蛍光体層における波長変換効率が増大するのみならず、このＬＥＤ素子から放射された青色可視光又は鏡面反射層若しくはホログラム反射層で反射された青色可視光が（青色蛍光体層を介することなく）直接的にも鳥獣に照射されるため、より効果的である。ただし、ＬＥＤ素子１４５として、必ずしも青色ＬＥＤ素子を用いる必要はなく、通常の可視光のＬＥＤ素子を用い、マーク１４２の青色蛍光体層１４２ｂにおいてその光を波長変換して青色波長領域に近い可視光を放射させても良い。ＬＥＤ素子は、種々の半導体素子メーカから市販されているため入手が容易であり、しかも安価かつ低電力で発光量が大きい高発光効率を有している。ただし、低電力で発光量の大きい発光素子が存在すれば、この発光素子をＬＥＤ素子に代えて用いても良い。
【００８０】
以下、本実施形態の鳥獣追い払い装置１２０の動作及び作用効果を説明する。鳥獣追い払い装置１２０は、図１７に示すように、例えば、追い払うべき鳥獣が通る獣道１７０に沿って位置する例えば木の枝１７１等に紐状体１２４によって結び付けることによって設置する。風等によって木の枝１７１が、及び／又は鳥獣追い払い装置１２０自体が不規則的に揺動することにより、紐状体１２４の圧電体発電ユニット１２４ｂも揺動し、内部の錘体１５２が圧電セラミック素子１５４ａ及び１５４ｂに衝突することにより発電が行われる。発生した電圧は、駆動回路１２６を介してＬＥＤ素子１２５に印加され、このＬＥＤ素子１２５から赤外線波長領域又は青色波長領域を含む光が放射される。
【００８１】
周囲環境が明るい場合は、シート１２１の略全表面に形成された鏡面反射層又はホログラム反射層における太陽光又は周囲光の反射によって鳥獣に忌避感を与えてある程度の追い払い効果が発揮されるが、周囲環境が暗い場合は、ＬＥＤ素子１２５又は１４５からの不規則的又は間欠的に変化する光がマーク１２２又は１４２の赤外線蛍光体層１２２ｂ又は青色蛍光体層１４２ｂに入射されることにより、この赤外線蛍光体層１２２ｂはその光を波長変換して赤外線波長領域に近い可視光若しくは赤外線を放射し、青色蛍光体層１４２ｂはその光を波長変換して青色波長領域の可視光を放射する。さらに、シート１２１の表面の鏡面反射層又はホログラム反射層においても、ＬＥＤ素子１２５からの可視光及び赤外線放射又はＬＥＤ素子１４５からの青色可視光放射の反射が生じる。このように、本実施形態によれば、ＬＥＤ素子１２５によりマーク１２２の赤外線蛍光体層１２２ｂに又はＬＥＤ素子１４５によりマーク１４２の青色蛍光体層１４２ｂに光を照射しているので、赤外線蛍光体層１２２ｂ又は青色蛍光体層１４２ｂは、より多くの赤外線又は青色可視光を放射することができる。また、周囲光が存在しない場合にも、赤外線又は青色可視光を放射することができる。しかも、圧電体発電ユニット１２４ｂによって発電して得た電力によって駆動されるので、外部電源や電池が不要であり、しかも圧電体発電ユニット１２４ｂが作動する限り半永久的に動作可能である。
【００８２】
鳥獣、特に野生の鹿等は赤外線波長領域に近い可視光又は赤外線に対して非常に敏感であることが本願発明者によって確認されており、また、特に野生の猪等は青色波長領域（青色、青緑色、青紫色及び／又は紫色の波長領域）に近い可視光に対して非常に敏感であると共に赤色及び橙色（オレンジ色）を嫌うことが知られている。このような波長領域において、不規則的に揺動するシート１２１上のマーク１２２の赤外線蛍光体層１２２ｂが赤外線を、及び／又はシート１２１上のマーク１４２の青色蛍光体層１４２ｂが青色可視光を発生させることにより、鳥獣は恐怖感を覚えて撃退される。しかも、鏡面反射層によってマーク１２２の赤外線蛍光体層１２２ｂから放射された赤外線波長領域に近い可視光若しくは赤外線及び／又はマーク１４２の青色蛍光体層１４２ｂから放射された青色可視光が鏡面反射されることにより、鳥獣はより大きな恐怖感を覚えて撃退される。特に本実施形態では、ＬＥＤ素子１２５又は１４５からの光が不規則的に変化するため、威嚇及び撃退効果が増大する。一度撃退されると、その鳥獣は二度と現れなくなり、その撃退効果は長期に渡って低下せずに維持されることも確認されている。また、大きな音を発生するものではないため、夜間に周囲環境に迷惑を与えることもない。このように、本実施形態の鳥獣追い払い装置１２０は、優れた威嚇及び撃退効果を有しており、しかも、その効果が低下せずに長期に渡って維持することができる。特に、本実施形態の鳥獣追い払い装置１２０は、簡単な構造であるため、非常に安価に提供することができる。
【００８３】
図１８は、本発明のまたさらに他の実施形態における鳥獣追い払い装置の構成を概略的に示している。ただし、同図（Ａ）は全体の構成を概略的に示しており、同図（Ｂ）は圧電体発電ユニットの構造を概略的に示している。
【００８４】
本実施形態では、圧電体発電ユニットの構成を除いて、その他の構成は図１２の実施形態の場合と全く同様である。従って、以下の説明は、本実施形態の圧電体発電ユニットの構成についてのみ行うものとする。また、図１８において、図１２の実施形態の場合と同じ構成要素は同じ参照番号を用いて説明する。
【００８５】
図１８（Ａ）及び（Ｂ）に示すように、本実施形態の圧電体発電ユニット１８０は、円環形状の衝突壁体１８１と、この衝突壁体１８１の円環内に配置され、揺動自在の揺動体１８２とを備えている。衝突壁体１８１は、例えば鉄やステンレススチール等の剛性の高い金属材料を上面及び下面が開口したリング板形状に形成したものであり、複数の金属ワイヤ１８３によって、図示しない木の枝等に、上面及び下面が略水平となるように吊り下げられている。揺動体１８２は、同図（Ｂ）から分かるように、金属材料による円柱状の本体１８２ａと、この本体１８２ａの軸方向の両端面にそれぞれ固着された１対の板状の圧電セラミック素子１８２ｂと、１対の圧電セラミック板１８２ｂの外面にそれぞれ被着された衝撃緩衝部材１８２ｃとを備えている。衝撃緩衝部材１８２ｃは、圧電セラミック素子１８２ｂが衝突体１８１に衝突した際にもこの圧電セラミック素子１８２ｂにクラックが生じないように衝撃を緩和させるための部材である。本体１８２ａの上端部には、可撓性を有する、例えば、布、樹脂又は金属による第１の紐部１８４の一端が連結されており、この第１の紐部１８４の他端は木の枝等に結び付けられるように構成されている。本体１８２ａの下端部には、可撓性を有する、例えば、布、樹脂又は金属による第２の紐部１８５の一端が連結されており、この第２の紐部１８５の他端は、シート１２１の基板１２１ａと同様の構成を有する薄い平坦な風受けシート１８６に連結されている。
【００８６】
圧電セラミック素子１８２ｂは、例えばペロブスカイト型結晶構造の強誘電体セラミックスを分極して圧電効果を付与した圧電体セラミックス材料を挟んでその両面に金属電極を設けて構成されている。なお、この種の圧電セラミック素子は、種々の圧電セラミックメーカから市販されている。
【００８７】
風受けシート１８６が風等によって不規則的に揺動することにより、第２の紐部１８５に連結された揺動体１８２も揺動し、衝突壁体１８１の内壁に衝突することにより、圧電セラミック素子１８２ｂが発電する。発生した電圧は、接続線１２７を介して、さらに図１８には示していない駆動回路を介してＬＥＤ素子１２５に印加されることにより、このＬＥＤ素子１２５から赤外線波長領域又は青色波長領域を含む光が放射される。
【００８８】
本実施形態におけるその他の構成、及び作用効果は、図１２の実施形態の場合と同様である。なお、本実施形態において、風受けシート１８６に代えて、マーク１２２、ＬＥＤ素子１２５及び駆動回路を備えたシート１２１並びに防水被覆層１２３と同様のものを設けても良い。その場合、本来のシート１２１及び防水被覆層１２３は、省略しても良いし、併存させても良い。
【００８９】
図１９は、本発明のさらに他の実施形態における鳥獣追い払い装置の構成を概略的に示している。ただし、同図（Ａ）は全体の構成を概略的に示しており、同図（Ｂ）は圧電体発電ユニットの構造を概略的に示している。
【００９０】
本実施形態では、圧電体発電ユニットの構成を除いて、その他の構成は図１２の実施形態の場合と全く同様である。従って、以下の説明は、本実施形態の圧電体発電ユニットの構成についてのみ行うものとする。また、図１９において、図１２の実施形態の場合と同じ構成要素は同じ参照番号を用いて説明する。
【００９１】
図１９（Ａ）及び（Ｂ）に示すように、本実施形態の圧電体発電ユニット１９０は、天板１９１ａ、底板１９１ｂ及び側板１９１ｃからなる円筒形状の筐体１９１と、この筐体１９１内の底板１９１ｂ上を転がって筐体１９１内の空間を移動自在な例えば鉄又はステンレススチールで形成された球状の錘体１９２と、筐体１９１内の側板１９１ｃの内面にその内面を覆うように固着された圧電フィルム１９３とを備えている。
【００９２】
筐体１９１は、例えば金属材料又は樹脂材料を円筒形状に形成したものである。球状の錘体１９２は、底板１９１ｂ上を移動自在となっており、シート１２１の揺動によってこの底板１９１ｂが傾斜することにより、自重によって筐体１９１内の空間を移動し、圧電フィルム１９３に衝突するように構成されている。
【００９３】
圧電フィルム１９３は、単なる一例であるが、図４に示すように、ＰＶＤＦによるピエゾフィルム１４ｂ１と、このピエゾフィルム１４ｂ１を挟んでその両面に、例えば銀をスクリーン印刷することにより、それぞれ形成された１対の電極層１４ｂ２及び１４ｂ３と、一方の電極層１４ｂ３の裏面に積層された可撓性を有するポリマからなる支持層１４ｂ４とを備えた可撓性圧電フィルムである。この種の圧電フィルムは、例えば、メジャーメントスペシャリティズ又は株式会社東京センサ等から市販されている。
【００９４】
シート１２１が風等によって不規則的に揺動することにより、第２の紐部１２４ａに連結された圧電体発電ユニット１９０も揺動し、球状の錘体１９２が圧電フィルム１９３に衝突することにより、この圧電フィルム１９３が発電する。発生した電圧は、接続線１２７を介して、さらに、図１９には示していない駆動回路を介して、ＬＥＤ素子１２５に印加されることにより、このＬＥＤ素子１２５から赤外線波長領域又は青色波長領域を含む光が放射される。
【００９５】
本実施形態におけるその他の構成、作用効果は、図１２の実施形態の場合と同様である。
【００９６】
なお、本願出願人が既に出願した特願２０１１−１８５６３８（平成２３年８月２９日出願）のごとく、周囲環境があらかじめ定めた暗さ状態より暗く、かつ、撃退すべき鳥獣が接近した場合にのみ閃光を発生させる装置と組み合わせた場合に、その閃光が赤外線蛍光体層１２２ｂ又は青色蛍光体層１４２ｂに入射されることにより、この赤外線蛍光体層１２２ｂから赤外線が、又は青色蛍光体層１４２ｂから青色可視光が強く放射され、さらに、鏡面反射層１２１ｂにおいても、その閃光及び赤外線放射又は青色可視光放射の強い反射が生じるため、より優れた鳥獣威嚇及び撃退効果を得ることができる。
【００９７】
以上述べた実施形態は全て本発明を例示的に示すものであって限定的に示すものではなく、本発明は他の種々の変形態様及び変更態様で実施することができる。従って本発明の範囲は特許請求の範囲及びその均等範囲によってのみ規定されるものである。
【符号の説明】
【００９８】
１０、１００、１２０  鳥獣追い払い装置
１１、１１′、２１Ａ、２１Ｂ、２１Ｃ、２１Ｄ、２１Ｅ、２１Ｆ、２１Ｇ、２１Ｈ、１０１、１０１′、１３１Ａ、１３１Ｂ、１３１Ｃ、１３１Ｄ、１３１Ｅ、１３１Ｆ、１３１Ｇ、１３１Ｈ  シート
１１ａ、１２１ａ  基板
１１ｂ、１２１ｂ  鏡面反射層
１２、２２Ａ、２２Ｂ、２２Ｃ、２２Ｄ、３２、１０２、１１２、１２２、１３２Ａ、１３２Ｂ、１３２Ｃ、１３２Ｄ、１４２  マーク
１２ａ、２２Ｅａ、２２Ｆａ、２２Ｇａ、２２Ｈａ、３２ａ、１０２ａ、１２２ａ、１３２Ｅａ、１３２Ｆａ、１３２Ｇａ、１３２Ｈａ、１４２ａ  マークシート
１２ｂ、２２Ｅｂ、２２Ｆｂ、２２Ｇｂ、２２Ｈｂ、１０２ｂ、１２２ｂ、１３２Ｅｂ、１３２Ｆｂ、１３２Ｇｂ、１３２Ｈｂ  赤外線蛍光体層
１３、１２３  防水被覆層
１４、１２４  紐状体
１４ａ  紐部
１４ｂ、１４ｂ′、１９３  圧電フィルム
１４ｂ１  ピエゾフィルム
１４ｂ２、１４ｂ３  電極層
１４ｂ４  支持層
１５、３５、１０５、１１５、１２５、１４５  ＬＥＤ素子
１６、７６、８６、１２６  駆動回路
１６ａ、７６ａ  ダイオード素子
１７、１８、１０８、１２７、１２８  接続線
３２ｂ、１１２ｂ、１４２ｂ  青色蛍光体層
７６ｂ、８６ｂ  キャパシタ
８６ａ  全波整流回路
８６ｃ  抵抗
９０、１７０  獣道
９１、１７１  木の枝
１２４ａ、１２４ａ′、１８４  第１の紐部
１２４ｂ、１２４ｂ′、１８０、１９０  圧電体発電ユニット
１２４ｃ、１２４ｃ′、１８５  第２の紐部
１５０、１９１  筐体
１５０ａ  表板
１５０ｂ  裏板
１５０ｃ、１９１ａ  天板
１５０ｄ、１９１ｂ  底板
１５０ｅ、１５０ｆ、１９１ｃ  側板
１５１ａ  天板側仕切板
１５１ｂ  底板側仕切板
１５２、１９２  錘体
１５３  通路
１５４ａ、１５４、１８２ｂ  圧電セラミック素子
１５５ａ、１５５ｂ  引出し線
１８１  衝突壁体
１８２  揺動体
１８３  金属ワイヤ
１８２ａ  本体
１８２ｃ  衝撃緩衝部材
１８６  風受けシート
【図１】
2014030412.tif 000003
【図２】
2014030412.tif 000004
【図３】
2014030412.tif 000005
【図４】
2014030412.tif 000006
【図５】
2014030412.tif 000007
【図６】
2014030412.tif 000008
【図７】
2014030412.tif 000009
【図８】
2014030412.tif 000010
【図９】
2014030412.tif 000011
【図１０】
2014030412.tif 000012
【図１１】
2014030412.tif 000013
【図１２】
2014030412.tif 000014
【図１３】
2014030412.tif 000015
【図１４】
2014030412.tif 000016
【図１５】
2014030412.tif 000017
【図１６】
2014030412.tif 000018
【図１７】
2014030412.tif 000019
【図１８】
2014030412.tif 000020
【図１９】
2014030412.tif 000021